(57)【要約】【課題】  ＤＶＤやビデオテープ等を入れた貸出しケースを収容することが出来る陳列用外ケースであって、製作コストが安くて棚により多く配列することが出来るビデオテープ等の陳列用外ケースの提供。【解決手段】  薄い樹脂製シートを折り曲げ成形したコ形の外側部１の正面部４の下縁１０及び縦縁１１に沿ってＬ形フレーム２ａを取付け、同じく上記外側部１の背面部５の下縁１０及び縦縁１１に沿ってＬ形フレーム２ｂを取付け、そして、両Ｌ形フレーム２ａ，２ｂ同士を連結手段を介して互いに連結し、さらに透明フイルムから成るカバー外側部３の両端縦縁１３，１３に沿って設けた接着部１４，１４をＬ形フレーム２ａ，２ｂの縦片１６，１６に接着して外側部表面をカバーする。【選択図】    図３
2006282268.tif 000002
【特許請求の範囲】
【請求項１】
ＤＶＤやビデオテープ等を収容した貸出しケースを入れてレンタルショップの棚に陳列する陳列用外ケースにおいて、薄い樹脂製シートを折り曲げ成形したコ形の外側部の正面部の下縁及び縦縁に沿ってＬ形フレームを取付け、同じく上記外側部の背面部の下縁及び縦縁に沿ってＬ形フレームを取付け、そして、両Ｌ形フレーム同士を連結手段を介して互いに連結し、さらに透明フイルムから成るカバー外側部の両端縦縁に沿って設けた接着部をＬ形フレームの縦片に接着して外側部表面をカバーしたことを特徴とするビデオテープ等の陳列用外ケース。
【請求項２】
ＤＶＤやビデオテープ等を収容した貸出しケースを入れてレンタルショップの棚に陳列する陳列用外ケースにおいて、薄い樹脂製シートを折り曲げ成形したコ形の外側部の正面部の下縁及び縦縁に沿ってＬ形フレームを取付け、同じく上記外側部の背面部の下縁及び縦縁に沿ってＬ形フレームを取付け、そして、両Ｌ形フレーム同士を連結手段を介して互いに連結し、さらに上記コ形の外側部上縁から下方へ延びる折返し片を形成したことを特徴とするビデオテープ等の陳列用外ケース。
【請求項３】
上記外側部の正面部及び背面部の下縁と縦縁に係止片を設け、これら係止片をＬ形フレームに設けた係止部に係止した請求項１、又は請求項２記載のビデオテープ等の陳列用外ケース。
【請求項４】
上記外側部の正面部及び背面部の下縁と縦縁に沿って設けた接着部をＬ形フレームの下片と縦片の接着面に接着した請求項１、又は請求項２記載のビデオテープ等の陳列用外ケース。
【請求項５】
上記両Ｌ形フレーム同士の連結手段として、接合面に磁石を取付けた請求項１、請求項２、請求項３、又は請求項４記載のビデオテープ等の陳列用外ケース。
【請求項６】
上記両Ｌ形フレーム同士の連結手段として、互いに係合し合うツメを設けた請求項１、請求項２、請求項３、又は請求項４記載のビデオテープ等の陳列用外ケース。
【請求項７】
上記Ｌ形フレーム代えて、薄い樹脂製シートを折り曲げ成形したコ形の外側部の正面部の下縁、縦縁、及び側面部に沿ってコ形フレームを取付け、同じく上記外側部の背面部の下縁、縦縁、及び側面部に沿ってコ形フレームを取付け、そして、両コ形フレーム同士を連結手段を介して互いに連結した請求項１、請求項２、請求項３、請求項４、請求項５、請求項６記載のビデオテープ等の陳列用外ケース。
【発明の詳細な説明】
【技術分野】
【０００１】
本発明はレンタルショップの棚に陳列されているビデオテープ、ＤＶＤ、ＣＤ、ゲームソフト等を収容した貸出しケースを入れる陳列用外ケースに関するものである。
【背景技術】
【０００２】
ビデオテープやＤＶＤなどの貸出し方法として、これらビデオテープ等を貸出しケースに入れ、この貸出しケースを更に陳列用外ケースに収容すると共に該貸出しケースの上端部を陳列用外ケースの上端開口から突出させた状態で陳列棚に配列している。そして顧客は陳列用外ケースからビデオテープが入っている貸出しケースを抜き取って借りることが出来る。
【０００３】
この際、抜き取った貸出しケースをそのまま店から持ち出すならば、出入口に設置してある防犯装置が作動して警報音を発するようにしている。すなわち、ビデオテープのケースにはタグシールが貼着され、ＤＶＤを収容したケースのロックプレートにもタグシールが貼られている。この貸出し方法は特許第２１３２８６８号に係る「ビデオテープの陳列方法及び陳列用外ケース」に関するものである。
【０００４】
ところで、上記陳列用外ケースは図１５に示しているように、上端に開口(イ)を有す箱形であり、射出成形にて製作されている。従って、底部(ロ)、正面部(ハ)、背面部(ニ)、及び両側部(ホ)、(ホ)を有しているが、これら各部の肉厚は約１ｍｍ程度の厚さを有し、その為に材料費の比率は比較的高く、コストを削減するには限界と成っている。勿論、射出成形用の金型も必要となる。最近では、販売用ケースの上蓋を外して上端を開口することで陳列用外ケースに変換できる構造としているものも知られているが、基本的な形態は同図に示すようなケースと成っている。
【０００５】
一方、ビデオなどのレンタル店には数多くのビデオテープやＤＶＤが陳列棚に配列されているが、この陳列個数には限界がある。その為に、陳列用外ケースの厚さ寸法は出来る限り小さい方が好ましく、同じ棚により多くのビデオテープ等を配列することが可能と成る。
【特許文献１】特許第２１３２８６８号に係る「ビデオテープの陳列方法及び陳列用外ケース」
【発明の開示】
【発明が解決しようとする課題】
【０００６】
このように、従来のビデオテープやＤＶＤ等の貸出しケースを収容する陳列用外ケースには上記のごとき問題がある。本発明が解決しようとする課題はこの問題点であり、厚さ寸法を小さくすることでより多くを陳列することが出来、又製作コストが安いビデオテープ等の陳列用外ケースを提供する。
【課題を解決するための手段】
【０００７】
本発明に係るビデオテープやＤＶＤ等の陳列用外ケースは、薄い樹脂製シートを概略コ形に曲げ加工した外側部、同じく透明フイルムを概略コ形に形成したカバー外側部、そして対を成すＬ形フレームとで構成される。上記概略コ形をした外側部は、表面部と背面部及び側面部を有し、表面部の下縁及び縦縁にＬ形フレームが取付けられ、同じく背面部の下縁及び縦縁にもＬ形フレームが取付けられる。
【０００８】
Ｌ形フレームの取付け手段は特に限定せず、接着剤を使用する場合、又は下縁及び縦縁に係止片を設けると共に該係止片をＬ形フレームの係止部に係止して取付ける等の方法がある。そして、正面部及び背面部に取着されたＬ形フレームは互いに突き合わされて連結し、底を有したケースが構成される。又、透明フイルムから成る概略コ形のカバー外側部は、上記ケースの表面に重ね合うように取付けられる。
【０００９】
ところで、対をなすＬ形フレーム同士の連結手段も限定しないが、互いに係合するツメを設けたり、又は突合せ面に互いに引き合う磁石を取付けることが出来る。そして、箱形を構成したケースと表面をカバーする透明シート間にはタイトル紙を挿入することが出来、タイトル紙は透明シートを通して見ることが出来る。
【００１０】
一方、フレームはＬ形に限らずコ形に形成することも出来る。この場合には、薄い樹脂製シートを概略コ形に曲げ加工した外側部の表面部の下縁、縦縁、及び側面部に沿ってコ形フレームが取付けられ、同じく背面部の下縁、縦縁、及び側面部に沿ってコ形フレームが取付けられる。そして、両コ形フレーム同士を連結手段を介して互いに連結する。さらに透明フイルムから成るカバー外側部の両端縦縁に沿って設けた接着部をコ形フレームの縦片に接着して外側部表面をカバーすることができる。ここで、コ形フレーム同士の連結手段は上記Ｌ形フレームの場合と同じである。
【００１１】
さらに、タイトル紙を取付ける手段として上記の透明シートではなく、折返し片を設けることが出来る。該折返し片は薄い樹脂製シートで構成される概略コ形の外側部の上縁から下方へ折返して形成される。又四角形の薄い樹脂製シートの上縁から下方へ折返して形成される。
【発明の効果】
【００１２】
本発明に係る陳列用外ケースは薄い樹脂製シートを曲げ加工して構成する外側部とＬ形フレーム又はコ形フレームと組合せ、表面には透明シートを張り合わせたものであり、従来の成形品に比べてコストが安くなり、一方では厚さ寸法が小さくなる。従って、同じ棚により多くの陳列用外ケースを配列することが可能と成る。そして、本発明の陳列用外ケースは単に薄い樹脂製シートのみでなくＬ形フレーム又はコ形フレームとの組み合わせで構成される為に、該フレームはケースの骨格となることでその形状が崩れることはない。
【実施例】
【００１３】
図１、図２は本発明に係る陳列用外ケースを示す実施例である。同図の１は外側部、２ａ，２ｂはＬ形フレーム、３はカバー外側部を夫々表している。すなわち、本発明の陳列用外ケースは、薄い樹脂製シートから成る外側部１、樹脂の成形品であるＬ形フレーム２ａ，２ｂ、及び透明フイルムから成るカバー外側部３で構成されている。
【００１４】
図３は図１に示す陳列用外ケースの展開図であり、外側部１は正面部４、背面部５、及び側面部６を有し、同じくカバー外側部３も正面部７、背面部８、側面部９を有している。そして、外側部１は薄い樹脂製シートから成り、その正面部４及び背面部５の下縁１０及び縦縁１１には複数の係止片１２，１２・・を形成し、該係止片１２，１２・・は内側へ延びている。一方のカバー外側部３の正面部７及び背面部８にはその縦縁１３，１３に沿って接着部１４，１４を設けている。
【００１５】
ところで、Ｌ形フレーム２ａ，２ｂは互いに垂直を成す下片１５と縦片１６から成り、これら下片１５及び縦片１６には長方形の小さな穴１７，１７・・が設けられ、該穴１７，１７・・には係止部１９(図５参照)が設けられている。そこで、Ｌ形フレーム２ａは正面部４の下縁１０と縦縁１１に沿って取付けられるが、係止片１２，１２・・が穴１７，１７・・に嵌ると共に係止部１９，１９・・に係止して取付けられる。同じように、Ｌ形フレーム２ｂは背面部５の下縁１０と縦縁１１に設けた係止片１２，１２・・を介して取付けられる。
【００１６】
そして、正面部４及び背面部５に取付けられたＬ形フレーム２ａ，２ｂは互いに連結してケースが作られる。このケースに上記カバー外側部３を外側部１の表面をカバーするように張着するが、正面部７と背面部８の縦縁１３，１３に沿って設けている接着部１４，１４が接着剤を介してＬ形フレーム２ａ，２ｂの縦片１６，１６に接着されて前記図１に示す陳列用外ケースとなる。
【００１７】
図４は図１に示す陳列用外ケースの他の展開図であり、外側部１は正面部４、背面部５、及び側面部６を有し、同じくカバー外側部３も正面部７、背面部８、側面部９を有している。そして、外側部１は薄い樹脂製シートから成り、その正面部４及び背面部５の下縁１０及び縦縁１１に沿って接着部１４，１４・・を形成している。一方のカバー外側部３には同じく正面部７及び背面部８の縦縁１３，１３に沿って接着部１４，１４を設けている。
【００１８】
ところで、Ｌ形フレーム２ａは正面部４の下縁１０と縦縁１１に沿って取付けられるが、接着部１４，１４に接着剤を塗布してＬ形フレームの接着面１８，１８に接着される。同じように、Ｌ形フレーム２ｂは背面部５の接着部１４，１４に塗布した接着剤を介して接着される。そして、正面部４及び背面部５に取付けられたＬ形フレーム２ａ，２ｂは互いに連結してケースが作られ、このケースに上記カバー外側部３が外側部１の表面をカバーするように接着部１４，１４に接着剤を塗布して接着され、前記図１に示す陳列用外ケースとなる。
【００１９】
図５はＬ形フレーム２ａと外側部１の正面部４との連結構造を示す断面であり、係止片１２はＬ形フレーム２ａに形成した穴１７に嵌り、係止片１２に形成されるスリット穴２０は係止部１９の先端に係止して取付けられる。図６はＬ形フレーム２ａと外側部１の正面部４との他の連結構造を示す断面であり、接着部１４はＬ形フレーム２ａに設けた接着面１８に接着されて取付けられる。何れの場合も。Ｌ形フレーム２ａと正面部４とが連結固定される。
【００２０】
図７はＬ形フレーム２ａとＬ形フレーム２ｂとの連結構造の断面を示す実施例である。Ｌ形フレーム２ａには嵌合凸部２２が設けられ、一方のＬ形フレーム２ｂには嵌合凹部２１が形成され、嵌合凹部２１には嵌合凸部２２が嵌合して連結している。そして、Ｌ形フレーム２ｂに設けたツメ２３にはＬ形フレーム２ａ側のツメ２４が係止することで外れないように連結される。
【００２１】
図８はＬ形フレーム２ａ，２ｂの連結構造を示す別形態であり、一方のＬ形フレーム２ａには磁石２５ａが設けられ、他方のＬ形フレーム２ｂには磁石２５ｂが設けられている。そして、Ｌ形フレーム２ａに形成した嵌合凹部２６にＬ形フレーム２ｂに設けた嵌合凸部２７が嵌ると共に、両磁石２５ａ，２５ｂが互いに引き合うことで両Ｌ形フレーム２ａ，２ｂは連結固定される。
【００２２】
図９はカバー外側部３を貼り付けた場合を示している。Ｌ形フレーム２ａには正面部４が取付けられ、さらに該正面部４の表面にはカバー外側部３の正面部７が張着される。正面部７の縦縁１３に沿って設けた接着部１４がＬ形フレーム２ａに接着され、この際に、外側部１の表面部４とカバー外側部３の表面部７との間には僅かな隙間２８が設けられている。
【００２３】
図１０はカバー外側部３を貼り付けた場合の別形態を示している。Ｌ形フレーム２ａには正面部４が接着剤にて接着され、さらに該正面部４の表面にはカバー外側部３の正面部７が張着される。そして、図９に示した場合と同じく、正面部７の縦縁１３に沿って設けた接着部１４がＬ形フレーム２ａに接着され、この際に、外側部１の表面部４とカバー外側部３の表面部７との間には僅かな隙間２８が設けられている。
【００２４】
そして、上記隙間２８にはタイトル紙が挿入される。図１１は陳列用外ケースにタイトル紙２９を挿入する場合を表している。同図に示すように両Ｌ形フレーム２ａ，２ｂを連結することなく開くことで外側部１とカバー外側部３との隙間２８を拡大した状態でタイトル紙２９を挿入する。挿入後に両Ｌ形フレーム２ａ，２ｂを連結して陳列用外ケースとして構成する。隙間２８に挿入されたタイトル紙２９は両正面部４，７、及び両背面部５，８に挟まれて外れることはない。
【００２５】
図１２は図１に示す本発明のレンタル用外ケースにＣＤ３０を収容した貸出しケース３１を上端開口から挿入した場合を示している。該陳列用外ケースは図１に示しているように、背面部５の両側部を立ち上げることで中央部に凹部３２が形成されている。従って、陳列用外ケースに入れた貸出しケース３１はその中央上端部を摘んで抜き取ることが出来る。
【００２６】
図１３はタイトル紙２９を取付ける別手段を示す実施例である。薄い樹脂製シートで構成されるコ形の外側部１の正面部４、背面部５、及び側面部６の上縁３３，３３・・から下方へ延びる折返し片３２，３２・・を形成している。そして、コ形をしたタイトル紙を同図のように開いた状態の外側部１の内面に面して取付け、該折返し片３２，３２・・に係止することが出来る。
【００２７】
図１４は本発明に係る陳列用外ケースの展開図を表している他の実施例であり、前記図３の別形態である。前記実施例ではフレームとしてＬ形を用いているが、図１４の陳列用外ケースの場合にはコ形フレーム３４が採用されている。外側部１は前記図３の場合と同じく正面部４、背面部５、及び側面部６を有し、カバー外側部３も正面部７、背面部８、側面部９を有している。そして、外側部１は薄い樹脂製シートから成り、その正面部４及び背面部５の下縁１０及び縦縁１１には複数の係止片１２，１２・・を形成し、該係止片１２，１２・・は内側へ延びている。一方のカバー外側部３の正面部７及び背面部８にはその縦縁１３，１３に沿って接着部１４，１４を設けている。
【００２８】
ところで、コ形フレーム３４ａ，３４ｂは互いに下片１５と両縦片１６ａ，１６ｂから成り、これら下片１５及び両縦片１６ａ，１６ｂには長方形の小さな穴１７，１７・・が設けられ、該穴１７，１７・・には係止部１９が設けられている。そこで、コ形フレーム３４ａは正面部４の下縁１０、縦縁１１、及び側面部６に沿って取付けられるが、係止片１２，１２・・が穴１７，１７・・に嵌ると共に係止部１９，１９・・に係止して取付けられる。同じように、コ形フレーム３４ｂは背面部５の下縁１０、縦縁１１、及び側面部６に沿って取付けられる。
【００２９】
そして、正面部４及び背面部５に取付けられたコ形フレーム３４ａ，３４ｂは互いに連結してケースが作られる。このケースに上記カバー外側部３を外側部１の表面をカバーするように張着するが、正面部７と背面部８の縦縁１３，１３に沿って設けている接着部１４，１４が接着剤を介してコ形フレーム３４ａ，３４ｂの縦片１６ａ，１６ａに接着されて陳列用外ケースとなる。
【図面の簡単な説明】
【００３０】
【図１】本発明に係る陳列用外ケース。
【図２】本発明に係る陳列用外ケース。
【図３】図１の陳列用外ケースの展開図。
【図４】図１の陳列用外ケースの展開図。
【図５】正面部とＬ形フレームとの連結構造。
【図６】正面部とＬ形フレームとの連結構造。
【図７】両Ｌ形フレーム同士の連結構造。
【図８】両Ｌ形フレーム同士の連結構造。
【図９】正面部の表面にカバー外側部を貼り合わせた場合。
【図１０】正面部の表面にカバー外側部を貼り合わせた場合。
【図１１】ケース外側部とカバー外側部の隙間にタイトル紙を挿入する場合。
【図１２】陳列用外ケースにＣＤを収容した貸出しケースを入れた場合。
【図１３】タイトル紙を取付ける為の折返し片を設けた外側部。
【図１４】陳列用外ケースの展開図。
【図１５】従来の陳列用外ケース。
【符号の説明】
【００３１】
１  外側部
２  Ｌ形フレーム
３  カバー外側部
４  正面部
５  背面部
６  側面部
７  正面部
８  背面部
９  側面部
10  下縁
11  縦縁
12  係止片
13  縦縁
14  接着部
15  下片
16  縦片
17  穴
18  接着面
19  係止部
20  スリット穴
21  嵌合凹部
22  嵌合凸部
23  ツメ
24  ツメ
25  磁石
26  嵌合凹部
27  嵌合凸部
28  隙間
29  タイトル紙
30  ＣＤ
31  貸出しケース
32  折返し片
33  上縁
34  コ形フレーム
【図１】
2006282268.tif 000003
【図２】
2006282268.tif 000004
【図３】
2006282268.tif 000005
【図４】
2006282268.tif 000006
【図５】
2006282268.tif 000007
【図６】
2006282268.tif 000008
【図７】
2006282268.tif 000009
【図８】
2006282268.tif 000010
【図９】
2006282268.tif 000011
【図１０】
2006282268.tif 000012
【図１１】
2006282268.tif 000013
【図１２】
2006282268.tif 000014
【図１３】
2006282268.tif 000015
【図１４】
2006282268.tif 000016
【図１５】
2006282268.tif 000017